(57)【要約】【課題】書き込んだ基準電圧値と実際の検出電圧値との間の誤差を少なくした基準電圧設定方法を提供する。【解決手段】マイコンに基準電圧を設定するときは、まずマイコンにプログラムを書き込む。次いで、そのマイコンを腕時計に実装してから、治具３５にセットする。それから、設定する例えば２．４Ｖの基準電圧をケーブル３６を介して印加する。その後、治具回路３７からケーブル３６を介して設定用パルスを投入してマイコンにその基準電圧の読み込みを指示する。そして、その基準電圧に応じて個々のマイコンごとに設定レベルを自動的に選択し、書き込みを行って、個々のマイコン内でその基準電圧に見合った設定レベルを保存する。【選択図】　　　　図４
2004053397.tif 000002
【特許請求の範囲】
【請求項１】
マイコンにプログラムを書き込んで後、設定する基準電圧を印加し、マイコンにその基準電圧の読み込みを指示して、マイコン内でその基準電圧に見合った設定レベルを保存することを特徴とする、マイコンへの基準電圧設定方法。
【請求項２】
二次電池の電圧を検出する電圧検出回路と、請求項１の基準電圧設定方法で基準電圧に見合った設定レベルを保存するメモリ回路と、そのメモリ回路で保存する設定レベルの電圧と前記電圧検出回路で検出した二次電池の電圧とを比較して二次電池の電圧レベルを判定する比較回路とを備えることを特徴とする、二次電池の電圧レベル判定回路。
【請求項３】
請求項２に記載の二次電池の電圧レベル判定回路を備え、前記比較回路の判定結果に基づき電流負荷の駆動を制御する制御回路を備えることを特徴とする、携帯時計。
【請求項４】
前記電流負荷として、電池容量が少なくなったことを報知する報知手段を備えることを特徴とする、請求項３に記載の携帯時計。
【請求項５】
前記報知手段として、ＬＥＤランプを備えることを特徴とする、請求項４に記載の携帯時計。
【発明の詳細な説明】
【０００１】
【発明の属する技術分野】
この発明は、マイコンへの基準電圧設定方法に関する。および、その基準電圧設定方法を用いた二次電池の電圧レベル判定回路に関する。ならびに、その二次電圧の電圧レベル判定回路を用いた、充電式腕時計等の携帯時計に関する。
【０００２】
【従来の技術】
従来、例えば充電式腕時計の中には、電池容量が少なくなったとき、ＬＥＤランプの表示態様を変更してその旨を使用者に報知するものがある。この種の腕時計では、二次電池の電圧を、設定した基準電圧と比較し、二次電池の電圧が基準電圧値より低くなったとき、報知手段を作動していた。
【０００３】
その基準電圧値をマイコンに設定する場合は、マイコンにプログラムを書き込むとき、同時に基準電圧値を書き込んでから、腕時計ケース内に実装していた。すなわち、例えば図７に示すように、マイコンでは、３．０Ｖから２．２Ｖまでを０．１Ｖきざみとする電源電圧判定レベルを持っており、基準電圧設定時にその中から規格仕様で決定した基準電圧に対応する設定レベルを選択していた。例えば基準電圧が２．４Ｖのときは、設定レベル７を選択していた。
【０００４】
【発明が解決しようとする課題】
ところが、このような従来の方法では、マイコン個々のばらつきにより、書き込んだ基準電圧値と実際の検出電圧値との間に最大±０．２Ｖの誤差を生ずるおそれがあった。例えば基準電圧２．４Ｖの実際の検出電圧値が２．６Ｖから２．２Ｖまでばらついていた。このため、ときには二次電池が完全になくなるまで、報知手段を作動しないこともあった。
【０００５】
そこで、この発明の第１の目的は、書き込んだ基準電圧値と実際の検出電圧値との間の誤差を少なくした基準電圧設定方法を提供することにある。
【０００６】
この発明の第２の目的は、そのような基準電圧設定方法を用いた二次電池の電圧レベル判定回路を提供することにある。
【０００７】
この発明の第３の目的は、そのような電圧レベル判定回路を備えた携帯時計を提供することにある。
【０００８】
この発明の第４の目的は、そのような携帯時計において、充電の必要を報知する携帯時計を提供することにある。
【０００９】
この発明の第５の目的は、充電の必要をＬＥＤランプを用いて報知する携帯時計を提供することにある。
【００１０】
【課題を解決するための手段】
そのため、請求項１に記載の発明は、上述した第１の目的を達成すべく、マイコンへの基準電圧設定方法において、マイコンにプログラムを書き込んで後、設定する基準電圧を印加し、マイコンにその基準電圧の読み込みを指示して、マイコン内でその基準電圧に見合った設定レベルを保存する、ことを特徴とする。
【００１１】
請求項２に記載の発明は、上述した第２の目的を達成すべく、二次電池の電圧レベル判定回路において、二次電池の電圧を検出する電圧検出回路と、請求項１の基準電圧設定方法で基準電圧に見合った設定レベルを保存するメモリ回路と、そのメモリ回路で保存する設定レベルの電圧と電圧検出回路で検出した二次電池の電圧とを比較して二次電池の電圧レベルを判定する比較回路とを備える、ことを特徴とする。
【００１２】
請求項３に記載の発明は、上述した第３の目的を達成すべく、携帯時計において、請求項２に記載の二次電池の電圧レベル判定回路を備え、比較回路の判定結果に基づき電流負荷の駆動を制御する制御回路を備える、ことを特徴とする。
【００１３】
請求項４に記載の発明は、上述した第４の目的を達成すべく、請求項３に記載の携帯時計において、電流負荷として、電池容量が少なくなったことを報知する報知手段を備える、ことを特徴とする。
【００１４】
請求項５に記載の発明は、上述した第５の目的を達成すべく、請求項４に記載の携帯時計において、報知手段として、ＬＥＤランプを備える、ことを特徴とする。
【００１５】
【発明の実施の形態】
以下、図面を参照しつつ、この発明の実施の形態につき説明する。
図１には、この発明によるマイコンへの基準電圧設定方法を用いて基準電圧を設定した、電磁誘導方式を用いて充電を行う充電式腕時計を示す。
【００１６】
図示腕時計は、腕時計ケース１０の表側に風防ガラス１１を固着し、裏側に裏ブタ１２をねじ付けて取り付ける。裏ブタ１２は、非磁性材である、プラスチックや、強磁性体でない金属などを用いてつくる。
【００１７】
腕時計ケース１０内には、ムーブメント１３を樹脂製の中枠１４で固定して収納する。ムーブメント１３には、文字板１５を取り付け、また時針、分針、秒針等の針１６を取り付ける。そのようなムーブメント１３の裏ブタ１２側には、充電回路を設け、二次電池１８を配置するとともに、その二次電池１８の周囲を囲むようにコイルボビン１９に巻き付けて環状の二次コイル２０を設ける。
【００１８】
また、腕時計ケース１０内においてムーブメント１３と同一平面には、同一の回路基板２２に取り付けて文字板照明用ＬＥＤランプ２３と外部照明用ＬＥＤランプ２４を設ける。
【００１９】
そして、文字板照明用ＬＥＤランプ２３と対向する文字板１５位置には第１開口ａを、外部照明用ＬＥＤランプ２４と対向する文字板１５位置には第２開口ｂをあける。開口ａ・ｂは、孔を形成してもよいし、文字板１５の縁部を切り欠いて形成してもよい。
【００２０】
また、腕時計ケース１０の見切り部分には、文字板１５の第１開口ａを通過した文字板照明用ＬＥＤランプ２３の光を反射して文字板１５の表面を照射する反射面１０ａを設ける。反射面１０ａは、例えば鏡面仕上げをしたり、反射材を塗布したりして形成する。この例では、反射面１０ａを腕時計ケース１０に形成するが、反射面は、腕時計ケース１０ではなく、見切りリングなどに形成するようにしてもよい。
【００２１】
これにより、文字板１５の第１開口ａを通過した文字板照明用ＬＥＤランプ２３の光を反射面１０ａで反射して文字板１５の表面を照射する文字板照明手段２５を形成する。また、文字板１５の第２開口ｂを通過した外部照明用ＬＥＤランプ２４の光を風防ガラス１１を透して外部に照射する外部照明手段２６を形成する。
【００２２】
他方、外端にリューズ２７を取り付ける巻真２８を、腕時計ケース１０を貫通して挿入してムーブメント１３内に入れる。また、図示省略するが、外端にスイッチを取り付ける操作軸を、同様に腕時計ケース１０を貫通して挿入してムーブメント１３内に入れる。
【００２３】
そして、二次電池１８でムーブメント１３を駆動して針１６を回転し、文字板１５の時字を指して時刻を表示する。時刻修正時は、リューズ２７を操作して巻真２８を介してムーブメント１３を動かし、針１６を回す。
【００２４】
暗いところで時刻が見にくいときには、不図示のスイッチを押して文字板照明手段２５を作動し、二次電池１８を電源として文字板照明用ＬＥＤランプ２３を点灯してその光を第１開口ａを通過して反射面１０ａに当て、その反射面１０ａで反射して文字板１５の表面を照射する。
【００２５】
また、暗いところで鍵穴等が見にくいときには、不図示のスイッチをもう一度押して外部照明手段２６を作動し、文字板照明用ＬＥＤランプ２３を消灯するとともに、二次電池１８を電源として外部照明用ＬＥＤランプ２４を点灯してその光を第２開口ｂを通過してから風防ガラス１１を透して外部に照射する。
【００２６】
不図示のスイッチをさらにもう一度押すと、外部照明用ＬＥＤランプ２４を消灯する。もちろん、残照時間を設定してスイッチ操作後一定時間が経過して後、文字板照明用ＬＥＤランプ２３または外部照明用ＬＥＤランプ２４を自動的に消灯するようにしてもよい。また、１つのスイッチではなく、ＬＥＤランプごとに別個のスイッチを設けてそれらのスイッチを個別に点灯または消灯操作するようにしてもよい。
【００２７】
ところで、図示腕時計では、使用により二次電池１８の電池容量が低下したときは、不図示の充電器上に載せて電磁誘導方式を用いて充電する。つまり、ＡＣコードを介して供給されるＡＣ電流を充電器の整流回路で整流して一次コイルで交流磁界を発生し、この交流磁界により図示腕時計の二次コイル２０に交流電流を発生し、整流回路で整流して直流電流として二次電池１８を充電する。
【００２８】
さて、この例の腕時計では、図２に示すように、二次電池１８の電圧を検出する電圧検出回路３０を備えるとともに、あらかじめマイコンに設定した基準電圧に見合った設定レベルを保存するメモリ回路３１を備え、さらにそのメモリ回路３１で保存する設定レベルの電圧と電圧検出回路３０で検出した二次電池１８の電圧とを比較して二次電池１８の電圧レベルを判定する比較回路３２を備えている。
【００２９】
比較回路３２には、比較回路３２の判定結果に基づき電流負荷の駆動を制御する制御回路３３を接続する。この図示例では、電流負荷として、電池容量が少なくなったことを報知する報知手段を備え、文字板照明用ＬＥＤランプ２３および外部照明用ＬＥＤランプ２４が、その報知手段を兼ねている。
【００３０】
そして、図３に示すように、図示しないスイッチをＯＮしたとき（ステップＳ１）、メモリ回路３１で保存する設定レベルの電圧と電圧検出回路３０で検出した二次電池１８の電圧とを比較し（ステップＳ２）、二次電池１８の電圧が、設定した基準電圧以上であるときは、文字板照明用ＬＥＤランプ２３または外部照明用ＬＥＤランプ２４を所定の通常時間点灯する（ステップＳ３）。反対に、二次電池１８の電圧が基準電圧以下であるときは、ＬＥＤランプ２３・２４を短縮した時間点灯する（ステップＳ４）。
【００３１】
ところで、図示腕時計のマイコンに基準電圧を設定するときは、まずマイコンにプログラムを書き込む。次いで、そのマイコンを腕時計に実装してから、図４に示すように治具３５にセットする。それから、図５に示すように、設定する例えば２．４Ｖの基準電圧をケーブル３６を介して印加する（ステップＳ１１）。
【００３２】
その後、治具回路３７からケーブル３６を介して設定用パルスを投入してマイコンにその基準電圧の読み込みを指示する（ステップＳ１２）。そして、その基準電圧に応じて個々のマイコンごとに設定レベルを自動的に選択し、書き込みを行って、個々のマイコン内でその基準電圧に見合った設定レベルを保存し（ステップＳ１３）、終了する。
【００３３】
なお、図６には、マイコンに基準電圧を設定するときの電気回路ブロック図を示す。
【００３４】
【発明の効果】
以上に説明したとおり、請求項１に記載の発明によれば、マイコンにプログラムを書き込んで後、設定する基準電圧を印加し、マイコンにその基準電圧の読み込みを指示して、マイコン内でその基準電圧に見合った設定レベルを保存するので、書き込んだ基準電圧値と実際の検出電圧値との間の誤差を少なくした基準電圧設定方法を提供することができる。
【００３５】
これにより、マイコンの設定レベルずれによる不良品をなくして工程の直行率を向上することができる。また、使用する電池が変わって電池の放電特性が変わっても、それに対応することが容易となり、他品種になったときも回路を共通にして利用することができる。
【００３６】
請求項２に係る発明によれば、二次電池の電圧を検出する電圧検出回路と、請求項１の基準電圧設定方法で基準電圧に見合った設定レベルを保存するメモリ回路と、そのメモリ回路で保存する設定レベルの電圧と電圧検出回路で検出した二次電池の電圧とを比較して二次電池の電圧レベルを判定する比較回路とを備えるので、請求項１の基準電圧設定方法を用いた二次電池の電圧レベル判定回路を提供することができる。
【００３７】
請求項３に係る発明によれば、請求項２に記載の二次電池の電圧レベル判定回路を備え、比較回路の判定結果に基づき電流負荷の駆動を制御する制御回路を備えるので、請求項２に記載の電圧レベル判定回路を備えた携帯時計を提供することができる。
【００３８】
請求項４に係る発明によれば、そのような携帯時計において、電流負荷として、電池容量が少なくなったことを報知する報知手段を備えるので、充電の必要を報知する携帯時計を提供することができる。
【００３９】
請求項５に係る発明によれば、報知手段として、ＬＥＤランプを備えるので、充電の必要をＬＥＤランプを用いて報知する携帯時計を提供することができる。
【図面の簡単な説明】
【図１】この発明によるマイコンへの基準電圧設定方法を用いて基準電圧を設定した、電磁誘導方式を用いて充電を行う充電式腕時計の断面図である。
【図２】図１に示す充電式腕時計の充電表示の制御回路図である。
【図３】充電表示のフローチャートである。
【図４】図１に示す充電式腕時計のマイコンに基準電圧を設定するときの治具構成図である。
【図５】そのマイコンに基準電圧を設定するときのフローチャートである。
【図６】そのマイコンに基準電圧を設定するときの電気回路ブロック図である。
【図７】マイコンの電源電圧判定レベルとそれに対応する電圧範囲を示す図である。
【符号の説明】
１８　　二次電池
２３　　報知手段を兼ねる文字板照明用ＬＥＤランプ（電流負荷）
２４　　報知手段を兼ねる外部照明用ＬＥＤランプ（電流負荷）
３０　　電圧検出回路
３１　　メモリ回路
３２　　比較回路
３３　　制御回路
【図１】
2004053397.tif 000003
【図２】
2004053397.tif 000004
【図３】
2004053397.tif 000005
【図４】
2004053397.tif 000006
【図５】
2004053397.tif 000007
【図６】
2004053397.tif 000008
【図７】
2004053397.tif 000009